【事件の表示】
　平成６年特許願第３０３６６号「複数枚の原稿の画像を１つのシート上に記録可能な画像記録装置及びその制御方法」拒絶査定不服審判事件〔平成６年１１月１５日出願公開、特開平６−３１９０３６〕について、次のとおり審決する。
【結　論】
　本件審判の請求は、成り立たない。
【理　由】
１．本願出願日及び本願発明
　本件審判請求に係る出願は、平成６年２月２８日に出願されたものであって、平成１２年６月１５日付け、平成１４年７月１５日付け、平成１５年４月７日付け及び平成１６年８月２０日付けの各手続補正書で補正された明細書および図面の記載から見て、請求項２に係る発明（以下「本願発明」という。）は、明細書の特許請求の範囲の請求項２に記載された次のとおりのものと認められる。
「【請求項２】　複数頁からなる一連の原稿を原稿台へ給送する原稿給送手段と、
　前記原稿給送手段により給送された前記一連の原稿の画像を読み取る読取手段と、
　前記読取手段からの前記一連の原稿の画像を縮小する縮小手段と、
　前記縮小手段からの前記一連の原稿の複数の画像を記憶領域に記憶する記憶手段と、
　前記原稿給送手段により給送される前記一連の原稿が縦長の原稿か横長の原稿かを判断する判断手段と、
　前記記憶領域に記憶された複数の画像を１つのシートに記録する記録手段と、
　前記記録手段により４頁分の複数の画像を１つのシートに記録する場合において、１頁目の原稿画像を前記記憶領域の左上に、２頁目の原稿画像を前記記憶領域の右上に、３頁目の原稿画像を前記記憶領域の左下に、４頁目の原稿画像を前記記憶領域の右下にそれぞれ配列させる為の記憶処理を前記複数の画像に対して行う第１の処理、及び、前記記録手段により４頁分の複数の画像を１つのシートに記録する場合において、１頁目の原稿画像を前記記憶領域の右上に、２頁目の原稿画像を前記記憶領域の右下に、３頁目の原稿画像を前記記憶領域の左上に、４頁目の原稿画像を前記記憶領域の左下にそれぞれ配列させる為の記憶処理を前記複数の画像に対して行う第２の処理を、選択的に実行するよう前記記憶手段を制御する制御手段と、を具備し、
　前記制御手段は、
　前記一連の原稿が縦長の原稿であると前記判断手段により判断した場合に、前記一連の原稿の前記複数の画像に対して前記第１の処理及び前記第２の処理のうちの前記第１の処理を前記記憶手段により実行可能
に
　なお、上記記載中の下線を付した部分は明らかな脱字と認め当審で付加したものである。また、本願については、先の出願（特願平５−４７９４９号）に基づく優先権主張がなされているが、該先の出願の明細書及び図面には、本願発明（特に、１つのシートに４頁分の原稿画像を順次読みやすように配置する点）の記載は見当たらないから、優先権は認められない。
　
２．先願明細書及び図面に記載の発明
　一方、当審において審判請求人に通知した拒絶の理由に引用した本願出願前に出願された特願平５−２１１７１３号（平成５年８月２６日出願、平成７年３月１０日出願公開。以下、この出願を「先願」という。）は「画像読取装置およびこれを備えた画像形成装置」の発明に係るものであって、その出願の出願当初の明細書の発明の詳細な説明欄には、次のような記載がある。（なお、この出願を公開した特開平７−６５１２０号公報に掲載されている明細書及び図面は、出願当初のものである。）
(i)　【００１６】
　【実施例】
　以下、本発明を複写機を例にとって説明する。　
　（１）　第１実施例　
　図１は本発明の実施例であるデジタル複写機Ｐの断面図である。図１に示すように複写機Ｐは、原稿画像を読み取るための読取装置ＩＲと、読み取った画像を出力するためのプリンタ装置ＰＲＴとを備えている。読取装置ＩＲは、原稿を読取って画像信号に変換する走査系１０と、走査系１０から送られる画像信号を処理する画像信号処理部２０と、画像信号処理部２０から送られる画像データをメモリに記憶するメモリユニット３０とを備えている。また、プリンタ装置ＰＲＴは、メモリユニット３０から送られる画像データに印字出力のための処理を施す印字処理部４０と、印字処理部４０から送られる画像データに基づいてレーザ光を照射する光学系６０と、光学系６０から照射されるレーザ光に基づいて電子写真法により用紙上に画像を形成する作像系７０と、画像形成のために用紙を搬送する搬送系８０とを備えている。
(ii)　 【００３７】
　図９はＣＰＵ３の行う処理のフローチャートである。以下、図７および図９を用いてＣＰＵ３の行う処理について説明する。　
　画像信号処理部２０から画像メモリ３１に１ページ分の画像データが転送されると、図９に示すように、ステップＳ１において、文字の方向（原稿台上に載置された原稿に含まれる文字が上下左右どの方向を向いているか）と原稿の種類（原稿がポートレートであるかランドスケープであるか、原稿が縦書か横書か）とを判別する処理を行う。なお、ポートレートとは原稿画像が原稿の長辺方向を向ているものを指し、ランドスケープとは原稿画像が原稿の短辺方向を向いているものを指す。
　　　【００３８】
　ステップＳ１の処理を図７を用いて説明すると、まず、画像メモリ３１から画像データを読み出して画像中の文字領域を切り出す。切り出された文字領域は文字方向認識部３２によって、文字の方向が判別される。そして、ＣＰＵ３は判別された文字の方向に基づいて、原稿の種類を判別する。判別の方法については後に具体例を挙げて詳しく説明する。これらの文字方向および原稿種類に関する情報を回転処理部３５に出力するとともに、ＲＡＭ３３上の管理テーブルＭＴに書き込む。管理テーブルＭＴについては後で説明する。
　　　【００３９】
　次に、ステップＳ２で、ＣＰＵ３は画像メモリ３１からデータを読み出し、回転処理部３５において、文字方向認識部３２から送られる原稿情報に基づいて、画像メモリ３１からの画像データの読み出しアドレスを変更することによって、所定の向きになるように画像データを回転して圧縮部３６に出力する。そして、これを圧縮部３６にて圧縮し、符号メモリ３７へ格納する。この符号メモリ３７は、３２Ｋバイト単位のメモリ領域に区分されており、書込みと読出しを同時に制御可能とすることを考慮し、各領域にはページごとの圧縮データが格納される。また、圧縮の際に符号メモリ３７の各領域に格納されている画像データのページ番号ならびに圧縮方式やデータ長などの圧縮伸長処理に必要な各種の付加情報を管理テーブルＭＴに書き込む。こうして、複写機Ｐは複数の原稿の画像を記憶することができる。
　　　【００４０】
　図１０に、管理テーブルＭＴを示す。管理テーブルＭＴは、図１０に示すように、前記の圧縮・伸長に関わる付加情報と前記の原稿情報とにより構成されている。管理テーブルＭＴ内の情報は印字出力する１ページ分の情報がコピー部数に相当する回数だけ符号メモリ３７から読み出されると消去される。
　　　【００４１】
　ステップＳ３では、画像メモリ３１をクリアした後、符号メモリ３７からデータを読み出し、伸長部３８によってデータを伸長する。そして、ユーザーが操作パネルから指定した複写条件やコピーモードに応じて変倍処理部３４で拡大・縮小された後、画像メモリ３１に書き込まれる。
　　　【００４２】
　図１１は、印字出力のために符号メモリ３７から読み出したデータを画像メモリ３１に書き込む様子を示した図である。図中の矢印はデータを書き込む向きを示す。前記のように、回転処理部３５で原稿種類に基づいて画像データの回転が行われるので、符号メモリ３７から画像メモリ３１に送られる画像データは原稿種類が同じであれば、原稿台ガラス１８への原稿の載置方向にかかわらず常に同じ向きになる。すなわち、図１１に示すように、符号メモリ３７から伸長部３８を経て送られる画像データは、ポートレート原稿なら画像が図中右方向に向くように、ランドスケープ原稿なら画像が図中上方向を向くように書き込まれる。
　　　【００４３】
　符号メモリ３７を経て画像メモリ３１に書き込まれた画像データは、印字処理部４０へ転送され光学系６０および作像系７０によって用紙上に画像形成される。この印字処理部４０内には回転処理部４１が内蔵され、搬送系８０の給紙カセット８６、８７内の用紙の向きに合うように、画像メモリ３１からの画像データの読み出しアドレスと読み出し方向とを変更し、印字出力する画像を回転させる。この後、印字出力部４０から出力された画像データに基づいて、光学系６０、作像系７０、搬送系８０によって用紙上に画像形成が行われ、図１２に示したように、トレイ５０に用紙が排出される。こうして、原稿の載置方向にかかわらず、常に所定の向き、例えば、ユーザーにとって見やすい向きで画像を出力することができる。
(iii)　【００５５】
　図１６は、図１３のステップＳ１０９における文字の方向と原稿の種類との判定方法を示すものである。図１６に示すように、例えば、行方向が副走査方向であるときは、句読点位置が第１象限のとき横書き下向きであると判定し、第２象限のとき縦書き左向き、第３象限のとき横書き上向き、第４象限のとき縦書き右向きと判定する。こうして、文字方向と原稿種類（縦書き・横書き）を判別することができる。
　　　【００５６】
　また、前記の原稿管理テーブルＤＴ上の原稿載置方向（縦置き・横置き）とステップＳ１０２で判別した行方向（主走査方向ａ・副走査方向ｂ）との組合せにより、各行が短辺方向に向いているか長辺方向に向いているかがわかる。したがって、ステップＳ１０９で判別した原稿種類（縦書き・横書き）と、この行方向（短辺方向・長辺方向）とから原稿の種類（ポートレート・ランドスケープ）の判別をすることができる（判別方法は図１７参照）。
　　　【００５７】
　このようにして判別された原稿情報がステップＳ１１０で管理テーブルＭＴに書き込まれ、その後リターンする。
　　　【００５８】
　以上のようにして、複写機Ｐでは自動的に文字方向と原稿の種類を判別し、ユーザーが適当な方向で複写機Ｐにセットした原稿を、出力する原稿画像の方向と用紙の載置方向とを一致させるだけでなく、印字出力する画像の向きを、例えばユーザーが見やすいような画像の向きにするなど、任意に変更することが可能である。もちろん、この原稿情報の判別機能を操作パネル上のキーの操作により解除可能としてもよい。また、得られた原稿情報をメッセージパネルなどに表示するようにしてもよい。
　　　【００５９】
　複写機Ｐでは、Ｎin１モードが選択されている場合に、Ｎ枚の原稿のそれぞれについて原稿の載置方向や原稿の種類を判別することによって、原稿の天地と原稿の配置とを自動的に揃えて１枚の用紙にコピーすることが可能である。そこで一例として、４枚のＡ４サイズの原稿を１枚のＡ３サイズの用紙に４in１コピーする処理について説明する。なお、ここでは簡単のために、４枚の原稿の種類（ポートレート・ランドスケープ、縦書き・横書き）は統一されているものとする。
　　　【００６０】
　まず、図９のステップＳ１とステップＳ２とに示したように、ＣＰＵ３により４枚の原稿の画像データを符号メモリ３７に格納するとともに、各原稿の原稿情報を管理テーブルＭＴに書き込む処理が行われる。前述のように、各原稿の文字方向が認識され必要に応じて回転されて、符号メモリ３７上では各データの向きが統一されるので、４枚の原稿の載置方向は異なっていてもよい。その後、ＣＰＵ３により、画像メモリ３１へデータが書き込まれる。
　　　【００６１】
　図１８は、４in１のコピーを行う場合の、ＣＰＵ３の行う画像メモリへの書き込み処理（図９のステップＳ３）のフローチャートである。図１８に示すように、ステップＳ３０１で書き込み開始アドレスを指定するための変数Ｓをゼロにするとともに、画像メモリ３１を初期化する。
　　　【００６２】
　ステップＳ３０２では管理テーブルＭＴから原稿の種類に関する情報（縦書き・横書き、ポートレート・ランドスケープ）を読み出す。ステップＳ３０３ではこの情報に基づいて、画像メモリ３１への各原稿の書き込み開始アドレスＡＤ１〜ＡＤ４を決定する。図１９はステップＳ３０３のアドレスＡＤ１〜ＡＤ４の決定方法を示す模式図である。図１９に示すように、原稿の種類によって書き込み開始アドレスアドレスＡＤ１〜ＡＤ４を決定する。各画像データはＡＤ１、ＡＤ２、ＡＤ３、ＡＤ４の順で図中に示した矢印方向に各アドレスから書き込まれる。
　　　【００６３】
　次に、ステップ３０４〜ステップＳ３１０で変数Ｓの値を判定し、その値に基づいて変数ＷＳＡＤにＡＤ１〜ＡＤ４のいずれかの値を代入する。そして、ステップＳ３１２でデータを１／４に縮小した後、ステップＳ３１３に進む。
　　　【００６４】
　ステップＳ３１３では、ＷＳＡＤから画像メモリに原稿１枚分の画像データの書き込みを行う。この後、ステップＳ３１４で変数Ｓの値をインクリメントし、ステップＳ３１５で変数Ｓの値が４に達しないと判定されるときはステップＳ３０４に戻り、同様のステップを経て残り３枚分の画像データの書き込みを行う。
その後、ステップＳ３１５で変数Ｓの値が４に達したと判断すると、ステップＳ３１６で書き込み終了の合図を出力する。
　　　【００６５】
　このようにして画像メモリ３１に書き込まれた画像データを、印字処理部４０によって読み出し、プリントアウトして４in１コピーを完了する。
　　　【００６６】
　図２０は４in１コピーの結果を示したものである。図２０に示すように、４枚の原稿の天地を揃えて４in１コピーが行われるとともに、原稿の縦書き・横書きによって配列順序を変更している。もちろんユーザーの好みに応じて、４つの原稿画像を図２０とは異なる配列としてもよい。
　
　また、図面として、次のものが記載されている。
　【図２】：複写機Ｐの制御部１００の回路ブロック図
　【図７】：メモリユニット３０の回路ブロック図
　【図１２】：印字の際の画像メモリ３１からの画像データの読み出し方法を示す図
　【図１８】：４in１コピーを行う際の、画像メモリ３１への画像データの書き込み処理のフローチャート
　【図１９】：４in１コピーを行う際の、画像メモリ３１への画像データの書き込み方法を示す模式図
　【図２０】：４in１コピーの結果を示す図
　
　これらの記載によれば、先願明細書及び図面には、次のような発明が記載されていると認められる。（以下、この発明を「先願に係る発明」という。）
　原稿台ガラス18上に載置された原稿の画像を読み取る走査系10と、（【0016】等参照。）
　走査系10から送られる画像信号を処理する画像信号処理部20と、（【0016】等参照。）
　画像信号処理部20から送られる画像データを符号メモリ37に記憶しそれを変倍処理部34で変倍処理して画像メモリ31に記憶するメモリユニット30と、（【0016】、【0034】等参照。）
　文字の方向と原稿の種類とを判別する処理を行うＣＰＵ3と、（【0037】、【0055】、【0056】等参照。）
  メモリユニット30に記憶された４枚の原稿画像データを１つの用紙にプリントするプリンタ装置PRTと、（【0016】、【0059】〜【0065】等参照。）
　前記プリンタ装置PRTにより４枚分の複数の画像を１つの用紙にプリントする場合において、１枚目の原稿画像を前記記憶領域の右上に、２枚目の原稿画像を前記記憶領域の右下に、３枚目の原稿画像を前記記憶領域の左上に、４枚目の原稿画像を前記記憶領域の左下にそれぞれ配列させる為の記憶処理を前記複数の画像に対して行う第１の処理、及び、前記プリンタ装置PRTにより４枚分の複数の画像を１つの用紙に記録する場合において、１枚目の原稿画像を前記記憶領域の左上に、２枚目の原稿画像を前記記憶領域の右上に、３枚目の原稿画像を前記記憶領域の左下に、４枚目の原稿画像を前記記憶領域の右下にそれぞれ配列させる為の記憶処理を前記複数の画像に対して行う第２の処理を、選択的に実行するよう前記メモリユニット30を制御するＣＰＵ3と、を具備し、（【0016】、【0059】〜【0064】等参照。）
　前記ＣＰＵ3は、さらに、
　前記一連の原稿が横書きポートレートの原稿であると前記ＣＰＵ3により判別した場合に、前記一連の原稿の前記複数の画像に対して前記第１の処理及び前記第２の処理のうちの前記第１の処理を前記メモリユニット30により実行可能にし、一方、前記一連の原稿が横書きランドスケープの原稿であると前記ＣＰＵ3手段により判別した場合に、前記一連の原稿の前記複数の画像に対して前記第２の処理を前記メモリユニット30により実行可能にするが、（【0059】〜【0064】等参照。）
　前記第１の処理を実行させる場合でも、前記第２の処理を実行させる場合でも、これらの処理を、給紙カセット内の用紙の向きにかかわらず、必要に応じて印字出力する画像を回転させてその画像データにより用紙に画像形成を行うことができる（【0043】等参照。）
ことを特徴とする画像形成装置。
　
３　本願発明と先願に係る発明との対比・判断
　そこで、本願発明と先願に係る発明とを対比・判断する。
　先ず、先願に係る発明は、「画像形成装置」であるが、出力される画像データで用紙に画像形成する即ちシートに記録するものである点で、本願発明の「画像記録装置」に相当する。
　本願発明における「読取手段」もプラテンガラス上の原稿の画像を読み取るものであるから、先願に係る発明の「原稿台ガラス18上に載置された原稿の画像を読み取る走査系10」は、その原稿が原稿給送手段により給送されたものかどうかの点を除いて本願発明における「読取手段」に相当する。
　先願に係る発明では画像信号処理部20から送られる画像データを符号メモリ37に記憶しそれを変倍処理部34で変倍処理しており、変倍処理に「縮小」もあることは明らかであるから、先願に係る発明の「変倍処理部34」は、本願発明の「前記読取手段からの前記一連の原稿の画像を縮小する縮小手段」に相当するということができる。
　先願に係る発明の「画像メモリ31を含むメモリユニット30」が本願発明の「前記縮小手段からの前記一連の原稿の複数の画像を記憶領域に記憶する記憶手段」に相当することは明らかである。
　先願に係る発明の「文字の方向と原稿の種類とを判別する処理を行うＣＰＵ3」は、原稿がポートレートかランドスケープかも判別しているものであるから、原稿が原稿給送手段により給送されたものかどうかの点を除いて本願発明の「原稿が縦長の原稿か横長の原稿かを判断する判断手段」と変わりない。
　先願に係る発明の「メモリユニット30に記憶された４枚の原稿画像データを１つの用紙にプリントするプリンタ装置PRT」が、本願発明の「前記記憶領域に記憶された複数の画像を１つのシートに記録する記録手段」に相当することは明らかである。
　そうすると、本願発明と先願に係る発明とは、
「原稿の画像を読み取る読取手段と、
　前記読取手段からの前記一連の原稿の画像を縮小する縮小手段と、
　前記縮小手段からの前記一連の原稿の複数の画像を記憶領域に記憶する記憶手段と、
　前記一連の原稿が縦長の原稿か横長の原稿かを判断する判断手段と、
　前記記憶領域に記憶された複数の画像を１つのシートに記録する記録手段と、
を具備したことを特徴とする画像記録装置。」
の点で一致し、次の点で一応相違するということができる。
(a)　本願発明が「複数頁からなる一連の原稿を原稿台へ給送する原稿給送手段」を有し、読み取る原稿は「前記原稿給送手段により給送された前記一連の原稿」であることが限定されているのに対して、先願に係る発明は、一連の原稿を読取ることを前提としていることは明らかであるが、図１も参酌すると、ユーザーが原稿台ガラス上に載置することを想定していると解される点。
(b)　本願発明が「前記記録手段により４頁分の複数の画像を１つのシートに記録する場合において、１頁目の原稿画像を前記記憶領域の左上に、２頁目の原稿画像を前記記憶領域の右上に、３頁目の原稿画像を前記記憶領域の左下に、４頁目の原稿画像を前記記憶領域の右下にそれぞれ配列させる為の記憶処理を前記複数の画像に対して行う第１の処理、及び、前記記録手段により４頁分の複数の画像を１つのシートに記録する場合において、１頁目の原稿画像を前記記憶領域の右上に、２頁目の原稿画像を前記記憶領域の右下に、３頁目の原稿画像を前記記憶領域の左上に、４頁目の原稿画像を前記記憶領域の左下にそれぞれ配列させる為の記憶処理を前記複数の画像に対して行う第２の処理を、選択的に実行するよう前記記憶手段を制御する制御手段と、を具備し、前記制御手段は、前記一連の原稿が縦長の原稿であると前記判断手段により判断した場合に、前記一連の原稿の前記複数の画像に対して前記第１の処理及び前記第２の処理のうちの前記第１の処理を前記記憶手段により実行可能にし、一方、前記一連の原稿が横長の原稿であると前記判断手段により判断した場合に、前記一連の原稿の前記複数の画像に対して前記第２の処理を前記記憶手段により実行可能にするが、前記第１の処理を実行させる場合でも、前記第２の処理を実行させる場合でも、これらの処理を、少なくとも、前記複数の画像を縦長のシートに対して記録する場合に実行可能にする」ようにしているのに対して、
　先願に係る発明は「前記プリンタ装置PRTにより４枚分の複数の画像を１つの用紙にプリントする場合において、１枚目の原稿画像を前記記憶領域の右上に、２枚目の原稿画像を前記記憶領域の右下に、３枚目の原稿画像を前記記憶領域の左上に、４枚目の原稿画像を前記記憶領域の左下にそれぞれ配列させる為の記憶処理を前記複数の画像に対して行う第１の処理、及び、前記プリンタ装置PRTにより４枚分の複数の画像を１つの用紙に記録する場合において、１枚目の原稿画像を前記記憶領域の左上に、２枚目の原稿画像を前記記憶領域の右上に、３枚目の原稿画像を前記記憶領域の左下に、４枚目の原稿画像を前記記憶領域の右下にそれぞれ配列させる為の記憶処理を前記複数の画像に対して行う第２の処理を、選択的に実行するよう前記メモリユニット30を制御するＣＰＵ3と、を具備し、前記ＣＰＵ3は、前記一連の原稿が横書きポートレートの原稿であると前記ＣＰＵ3により判別した場合に、前記一連の原稿の前記複数の画像に対して前記第１の処理及び前記第２の処理のうちの前記第１の処理を前記メモリユニット30により実行可能にし、一方、前記一連の原稿が横書きランドスケープの原稿であると前記ＣＰＵ3手段により判別した場合に、前記一連の原稿の前記複数の画像に対して前記第２の処理を前記メモリユニット30により実行可能にするが、前記第１の処理を実行させる場合でも、前記第２の処理を実行させる場合でも、これらの処理を、給紙カセット内の用紙の向きにかかわらず、必要に応じて印字出力する画像を回転させてその画像データにより用紙に画像形成を行うことができる」ようにしたものである点。
　そこで、これらの相違点が、本願発明と先願に係る発明とを異なる発明というべき技術的にみて有意の相違点かどうかについて検討する。
　(a)については、複写機を含む画像記録装置において、複数頁からなる一連の原稿を原稿台へ給送する原稿給送手段を設けて、これを利用することにより一連の原稿を１枚ずつ原稿台ガラス上にセットする手間を省くようにすることは、周知且つ慣用事項であって、先願に係る発明にこの周知且つ慣用事項を採用することを妨げる理由は見当たらない一方、本件発明がこれを設けている点に一連の原稿を１枚ずつ原稿台ガラス上にセットする手間を省くこと以上の格別の作用効果があるとは認められない。従って、本願発明が「複数頁からなる一連の原稿を原稿台へ給送する原稿給送手段」を有している点は、単なる慣用手段の付加にすぎず、読み取る原稿が「前記原稿給送手段により給送された前記一連の原稿」であることは、それを設けたものに期待している当然の事項にすぎないから、本願発明において「複数頁からなる一連の原稿を原稿台へ給送する原稿給送手段」を有し読み取る原稿は「前記原稿給送手段により給送された前記一連の原稿」であることが限定されている点に技術上の意義は認められない。
　次に、(b)について検討する。
　本願発明では、原稿が縦書きか横書きか、原稿の給送される向きと原稿の天地の向きが一致しているか反対か等について請求項２に明記されてはいないが、記録された原稿の各頁が読みやすいように配置されることを図ったものであることと実施例が記載されている図４９の（３）、（４）とを勘案すれば、原稿が横書きで、原稿の給送される向きと原稿の天地の向きが一致していることを前提としていると解されるものである。また、記憶手段については、各原稿画像の記憶領域について左上、右上等と限定してこの限定により読みやすい配置となることを図っている点からみて、全体の記憶領域が縦長になるようにして見た場合を前提としているものと解される。
　他方、先願に係る発明では、原稿が横書きのものについても事例としてあげられている。また、原稿の給送される向きと原稿の天地の向きについては、一致させておく必要はなく、画像メモリ31に記憶する過程で４枚の原稿が読みやすいようになるように適宜画像を回転させて記憶するようにしているから、原稿の給送される向きと原稿の天地の向きが一致している場合にも何ら問題がないことは明らかである。
　また、先願明細書の図１９に基づいた説明では、画像メモリ31を横長となるようにして各原稿の開始アドレスが説明されているから、先願に係る発明における各原稿の左上、右上等の位置関係は、画像メモリ31を横長となるようにしている場合のものである。
　ところが、本願発明における記憶手段や先願に係る発明における図面図１９の画像メモリ31のように、書き込み開始アドレスと書き込んで行く向き及び書き込む範囲を任意に制御できるメモリにおいては、画像メモリの書き込みを開始できる位置が特定の一箇所に決まっているのではないから、画像メモリの部分領域の相対的配置を特定する際の全体の向きについては、画像メモリのどの位置を上又は下とするかあるいは縦長とするか横長とするか等は適宜設定することができ、その設定した向きに基づいて適宜部分領域の相対位置関係を特定しても技術的に同義のことを特定することができるものである。
　そこで、先願の図１９の各図において画像メモリを右側が上となるような縦長にして見た場合を考えると、先願に係る発明における横書きポートレートの場合は、「前記プリンタ装置PRTにより４枚分の複数の画像を１つの用紙にプリントする場合において、１枚目の原稿画像を前記記憶領域の左上に、２枚目の原稿画像を前記記憶領域の右上に、３枚目の原稿画像を前記記憶領域の左下に、４枚目の原稿画像を前記記憶領域の右下にそれぞれ配列させる為の記憶処理を前記複数の画像に対して行う第１の処理を、選択的に実行するよう前記メモリユニット30を制御するＣＰＵ3を具備し、前記ＣＰＵ3は、さらに、前記一連の原稿が横書きポートレートの原稿であると前記ＣＰＵ3により判別した場合に、前記一連の原稿の前記複数の画像に対して前記第１の処理を前記メモリユニット30により実行可能にし」ているということができる。また、同様に先願の図１９の各図において画像メモリを右側が上となるような縦長にして見た場合を考えて、先願に係る発明における横書きランドスケープの場合は、「前記プリンタ装置PRTにより４枚分の複数の画像を１つの用紙にプリントする場合において、１枚目の原稿画像を前記記憶領域の左下に、２枚目の原稿画像を前記記憶領域の左上に、３枚目の原稿画像を前記記憶領域の右下に、４枚目の原稿画像を前記記憶領域の右上にそれぞれ配列させる為の記憶処理を前記複数の画像に対して行う第２の処理を、選択的に実行するよう前記メモリユニット30を制御するＣＰＵ3を具備し、前記ＣＰＵ3は、さらに、前記一連の原稿が横書きランドスケープの原稿であると前記ＣＰＵ3により判別した場合に、前記一連の原稿の前記複数の画像に対して前記第２の処理を前記メモリユニット30により実行可能にし」ているということができる。
　ところが、縦長にしろ横長にしろ領域を四等分して各領域に右上、右下、左上、左下の順を割り当てることは、左下、左上、右下、右上の順を割り当てたものの天地を逆に即ち全体を１８０度回転させればこれと同じとなるから、この左下、左上、右下、右上の順を割り当てたものと配置関係としては同等のものということができる。
　そうすると、先願に係る発明においては、「前記プリンタ装置PRTにより４枚分の複数の画像を１つの用紙にプリントする場合において、１枚目の原稿画像を前記記憶領域の左上に、２枚目の原稿画像を前記記憶領域の右上に、３枚目の原稿画像を前記記憶領域の左下に、４枚目の原稿画像を前記記憶領域の右下にそれぞれ配列させる為の記憶処理を前記複数の画像に対して行う第１の処理、及び、前記プリンタ装置PRTにより４枚分の複数の画像を１つの用紙に記録する場合において、１枚目の原稿画像を前記記憶領域の右上に、２枚目の原稿画像を前記記憶領域の右下に、３枚目の原稿画像を前記記憶領域の左上に、４枚目の原稿画像を前記記憶領域の左下にそれぞれ配列させる為の記憶処理を前記複数の画像に対して行う第２の処理を、選択的に実行するよう前記メモリユニット30を制御するＣＰＵ3と、を具備し、前記ＣＰＵ3は、前記一連の原稿が横書きポートレートの原稿であると前記ＣＰＵ3により判別した場合に、前記一連の原稿の前記複数の画像に対して前記第１の処理及び前記第２の処理のうちの前記第１の処理を前記メモリユニット30により実行可能にし、一方、前記一連の原稿が横書きランドスケープの原稿であると前記ＣＰＵ3手段により判別した場合に、前記一連の原稿の前記複数の画像に対して前記第２の処理を前記メモリユニット30により実行可能に」するものともいうことができるから、この点は、本願発明の「前記記録手段により４頁分の複数の画像を１つのシートに記録する場合において、１頁目の原稿画像を前記記憶領域の左上に、２頁目の原稿画像を前記記憶領域の右上に、３頁目の原稿画像を前記記憶領域の左下に、４頁目の原稿画像を前記記憶領域の右下にそれぞれ配列させる為の記憶処理を前記複数の画像に対して行う第１の処理、及び、前記記録手段により４頁分の複数の画像を１つのシートに記録する場合において、１頁目の原稿画像を前記記憶領域の右上に、２頁目の原稿画像を前記記憶領域の右下に、３頁目の原稿画像を前記記憶領域の左上に、４頁目の原稿画像を前記記憶領域の左下にそれぞれ配列させる為の記憶処理を前記複数の画像に対して行う第２の処理を、選択的に実行するよう前記記憶手段を制御する制御手段と、を具備し、前記制御手段は、前記一連の原稿が縦長の原稿であると前記判断手段により判断した場合に、前記一連の原稿の前記複数の画像に対して前記第１の処理及び前記第２の処理のうちの前記第１の処理を前記記憶手段により実行可能にし、一方、前記一連の原稿が横長の原稿であると前記判断手段により判断した場合に、前記一連の原稿の前記複数の画像に対して前記第２の処理を前記記憶手段により実行可能にする」に相当するということができる。
　また、先願に係る発明においては、「前記第１の処理を実行させる場合でも、前記第２の処理を実行させる場合でも、これらの処理を、給紙カセット内の用紙の向きにかかわらず、必要に応じて印字出力する画像を回転させてその画像データにより用紙に画像形成を行う」ようにしているから、用紙が縦長であっても横長であっても、用紙に記録できるようにしていることは明らかであり、この点において先願に係る発明も本願発明と同様に「前記第１の処理を実行させる場合でも、前記第２の処理を実行させる場合でも、これらの処理を、少なくとも、前記複数の画像を縦長のシートに対して記録する場合に実行可能にする」ものといえることも明らかである。
　そうすると、結局、相違点(b)は、両発明が技術的にみて相違すると判断すべきものには当たらず、表現上の相違点ということとなる。
　
４，むすび
　以上から明らかなとおり、本願発明は、先願である特願平５−２１１７１３号出願の出願当初の明細書及び図面に記載された発明と技術的に相違する点は見当たらないから同一と認められ、しかも、本願発明の発明者が上記先願に係る発明の発明者と同一であるとも、本願の出願時においてその出願人が上記先願の出願人と同一であるとも認められないから、本願発明は、特許法第２９条の２の規定により特許を受けることができないものである。
　よって、結論のとおり審決する。